(57)【要約】【課題】ブレ補正の機能を備えたレンズ鏡筒において、ブレ補正動作を行わない場合には、撮影光学系の本来持っている性能を引き出すことができるレンズ鏡筒を提供する。【解決手段】ブレ補正動作可能であって、ブレ補正レンズＬの動作を制限するロック機構を備えたレンズ鏡筒において、ロック機構は、レンズ保持枠１に設けられた孔部１ｂと、撮影光学系の光軸Ｏに略沿う方向に移動可能に設けられ、孔部１ｂと係合可能なロックピン７ｂとを有している。ロックピン７ｂが孔部１ｂと係合する位置に移動した状態において、ブレ補正レンズＬ及びレンズ保持枠１を撮影光学系の光軸Ｏに交差する方向にコイル２及びマグネット４により付勢する。このときに、ブレ補正レンズＬの光軸ＯＬと撮影光学系の光軸Ｏとが一致するようにする。【選択図】　　　　　　　　図１
2004145188.tif 000002
【特許請求の範囲】
【請求項１】
主光学系と、
前記主光学系の少なくとも一部を形成し、前記主光学系の光軸に交差する方向に移動することによりブレを補正するブレ補正レンズと、
前記ブレ補正レンズを保持し、前記主光学系の光軸に交差する方向に移動可能なレンズ保持枠と、
前記ブレ補正光学系及び前記レンズ保持枠を駆動するブレ補正駆動部と、
ブレ補正動作を行わないときに前記ブレ補正レンズ及び前記レンズ保持枠の移動をガタを有した状態で制限するロック機構と、
を備えたレンズ鏡筒において、
前記ロック機構は、前記レンズ保持枠に設けられたレンズ保持枠側係合部と、前記主光学系の光軸に略沿う方向に移動可能に設けられ、前記レンズ保持枠側係合部と係合可能な可動係合部とを有し、
前記可動係合部が前記レンズ保持枠側係合部と係合する位置に移動した状態において、前記ブレ補正レンズ及び前記レンズ保持枠が前記ガタ分所定の方向に移動して前記可動係合部と前記レンズ保持枠側係合部とが当接した位置にある状態では、前記ブレ補正レンズの光軸と前記主光学系の光軸とが一致していること、
を特徴とするレンズ鏡筒。
【請求項２】
請求項１に記載のレンズ鏡筒において、
前記所定の方向は、前記レンズ鏡筒を装着可能なカメラボディに前記レンズ鏡筒を装着した状態において、前記光軸から前記カメラボディの底部へ向かう方向であること、
を特徴とするレンズ鏡筒。
【請求項３】
主光学系と、
前記主光学系の少なくとも一部を形成し、前記主光学系の光軸に交差する方向に移動することによりブレを補正するブレ補正レンズと、
前記ブレ補正レンズを保持し、前記主光学系の光軸に交差する方向に移動可能なレンズ保持枠と、
前記ブレ補正光学系及び前記レンズ保持枠を駆動するブレ補正駆動部と、
ブレ補正動作を行わないときに前記ブレ補正レンズ及び前記レンズ保持枠の移動を制限するロック機構と、
を備えたレンズ鏡筒において、
前記ロック機構は、前記レンズ保持枠に設けられたレンズ保持枠側係合部と、前記主光学系の光軸に略沿う方向に移動可能に設けられ、前記レンズ保持枠側係合部と係合可能な可動係合部とを有し、
前記可動係合部が前記レンズ保持枠側係合部と係合する位置に移動した状態において、前記ブレ補正レンズ及び前記レンズ保持枠を前記主光学系の光軸に交差する方向に付勢する付勢手段を備えること、
を特徴とするレンズ鏡筒。
【請求項４】
請求項３に記載のレンズ鏡筒において、
前記付勢手段によって前記可動係合部と前記レンズ保持枠側係合部とが当接した位置にある状態では、前記ブレ補正レンズの光軸と前記主光学系の光軸とが一致していること、
を特徴とするレンズ鏡筒。
【請求項５】
請求項３又は請求項４に記載のレンズ鏡筒において、
前記付勢手段は、前記ブレ補正駆動部であること、
を特徴とするレンズ鏡筒。
【請求項６】
請求項３から請求項５までのいずれか１項に記載のレンズ鏡筒において、
前記付勢手段による付勢の方向は、前記レンズ鏡筒を装着可能なカメラボディに前記レンズ鏡筒を装着した状態において、前記光軸から前記カメラボディの底部へ向かう方向であること、
を特徴とするレンズ鏡筒。
【請求項７】
請求項３から請求項６までのいずれか１項に記載のレンズ鏡筒において、
前記主光学系は、撮影する被写体像を結像する撮影光学系であって、
前記付勢手段による付勢は、撮影の直前に開始され、少なくとも撮影中付勢を継続すること、
を特徴とするレンズ鏡筒。
【請求項８】
請求項１から請求項７までのいずれか１項に記載のレンズ鏡筒において、
前記レンズ保持枠側係合部は、前記レンズ保持枠に設けられ、前記主光学系の光軸に略沿う方向に開口した孔部であり、
前記可動係合部は、前記孔部に挿入可能なロックピンであること、
を特徴とするレンズ鏡筒。
【発明の詳細な説明】
【０００１】
【発明の属する技術分野】
本発明は、カメラ等の光学機器に用いられ、特に、被写体像のブレを補正するブレ補正動作を行うことができるレンズ鏡筒に関するものである。
【０００２】
【従来の技術】
従来、この種の装置としてブレ補正光学系を光軸に交差する方向に、ＶＣＭ（ボイスコイルモータ）等のアクチュエータでシフト移動させることによって、像のブレを補正するものが知られている。
このようなブレ補正装置では、ブレ補正機能を使用しない場合に、ブレ補正光学系を特定位置に保持（以下、ロックと呼ぶ）するためのロック装置が取り付けられているものが知られている（例えば、特許文献１参照）。
【０００３】
図４は、従来のロック装置を有するレンズ鏡筒を示す図であり、ロックを解除した状態を示す図である。
以下、図４を用いて従来のレンズ鏡筒について説明する。
なお、従来技術の説明、及び、後述の実施形態の説明を含めて、図中の下方に重力が働いているものとして説明する。
ブレ補正レンズＬは、不図示の撮影光学系の一部を形成し、撮影光学系（主光学系）の光軸Ｏに交差する方向に移動することによりブレを補正するレンズである。
レンズ保持枠１は、ブレ補正レンズＬを保持し、撮影光学系の光軸Ｏに交差する方向に移動可能な部材である。
【０００４】
コイル２は、レンズ保持枠１に巻き付けられており、通電することにより磁力を発生し、後述の磁石との関係により駆動力を発生するブレ補正駆動部（ＶＣＭ）の一部を形成している。
固定枠３は、不図示のカメラ本体に対して相対的な移動を行わない固定された枠であり、レンズ保持枠１を撮影光学系の光軸Ｏに対して直交する方向に移動可能に保持している。
マグネット４は、固定枠３に固定された永久磁石であり、上述のようにコイル２と共にＶＣＭを形成している。したがって、コイル２に通電すると、マグネット４との作用によりレンズ保持枠１を光軸Ｏに対して直交する方向に駆動力を発生する。
【０００５】
発光素子５は、ＬＥＤ等により形成された光源であり、レンズ保持枠１に固定され、発光した光は、スリット１ａによって絞られて出光する。
位置検出素子６は、ＰＳＤ等により形成された位置センサーであり、固定枠３に固定され、スリット１ａによって絞られた発光素子５の光を検出することによりレンズ保持枠１の光軸Ｏに対して直交する方向の位置を検知する。
【０００６】
従来のレンズ鏡筒では、上述のコイル２とマグネット４により構成されるブレ補正駆動部と、発光素子５と位置検出素子６により構成される位置検出部によって、レンズ保持枠１を光軸Ｏに対して直交する方向の任意の位置に移動させるようになっている。
一般的な手振れによる結像面での像のブレは、レンズ保持枠１を光軸Ｏに対して直交する方向に移動させることにより解決できる。
したがって、従来のレンズ鏡筒においても、ブレ補正駆動を行う場合には、コイル２に通電を行い、ブレ補正レンズＬの位置を制御して、ブレ補正動作を行っていた。
【０００７】
一方、ブレ補正動作を行わない場合には、ブレ補正レンズＬの位置を一定の位置に保つ必要がある。
ここで、レンズ保持枠１の位置を保つには、コイル２に通電する必要があるが、常に通電していては、電源が消耗してしまい、電源が消耗した際には、レンズ保持枠１は、重力により光軸Ｏに対して直交する方向に沿って重力方向に落下してしまう。
【０００８】
そこで、従来から、これらブレ補正機構を備えたレンズ鏡筒には、ブレ補正動作を行わないときにブレ補正レンズＬ及びレンズ保持枠１の移動を制限（ロック）するロック機構が設けられている。
ロック機構は、ラッチソレノイド７と、ロックピン７ｂと、レンズ保持枠１に形成されロックピン７ｂが挿入して係合する孔部１ｂから成っている。
結像面での像ブレが発生しにくい状況等において、ブレ補正動作を行わない場合には、レンズ保持枠１を移動させる必要がないので、ロック機構のロックピン７ｂを光軸方向に移動させ、レンズ保持枠１の孔部１ｂに係合させてロックを行う。
【０００９】
図５は、従来のレンズ鏡筒において、ロックピン７ｂと孔部１ｂとが係合した瞬間を示す図である。
従来のレンズ鏡筒では、ブレ補正レンズＬの光軸ＯＬを撮影光学系の光軸Ｏと一致させた状態でロックを行っている。また、ロックピン７ｂが孔部１ｂに確実に挿入できるように孔部１ｂの内径（直径）は、ロックピン７ｂの外径（直径）よりも大きく設定されている。
ロックピン７ｂが孔部１ｂに挿入された後に、コイル２への通電を停止することにより、ロック動作が終了する。
図６は、従来のレンズ鏡筒において、ロックピン７ｂと孔部１ｂとが係合した状態であって、コイル２への通電を停止した状態を示す図である。
コイル２への通電を停止したことによりレンズ保持枠１は、重力方向に落下するが、ロック機構のロックピン７ｂとレンズ保持枠１の孔部１ｂとが当接することにより、レンズ保持枠１は、それ以上落下することはない。
このようにして、従来のレンズ鏡筒では、コイル２への通電の停止により電源の消耗を防ぐようになっていた。
【００１０】
【特許文献１】
特開平１１−２７１８３３号公報
【００１１】
【発明が解決しようとする課題】
しかし、コイル２への通電を停止すると、レンズ保持枠１が自重により落下し、図６のようにブレ補正レンズＬの光軸ＯＬと撮影光学系の光軸Ｏとが、ずれてしまう（偏心してしまう）という問題があった。
ブレ補正レンズＬは、撮影光学系の光軸Ｏに交差する方向に移動することによりブレを補正することから、一般に、ブレ補正レンズＬの光軸ＯＬと撮影光学系の光軸Ｏとが偏心した場合でも、光学的性能が極端には劣化しないように設計されている。
ブレ補正動作を行う場合には、撮影者による手振れなどに起因する像ブレによる像の劣化が支配的であり、ブレ補正レンズＬの光軸ＯＬと撮影光学系の光軸Ｏとが偏心したことによる像の多少の劣化を容認してでも、像ブレを補正した方が、結果的に良好な撮影結果を得ることができる。
【００１２】
一方、結像面での像ブレが発生しにくい状況等において、ブレ補正動作を行わない場合には、ブレ補正レンズＬの光軸ＯＬと撮影光学系の光軸Ｏとが一致した状態で撮影することが望ましく、その場合に最良な撮影結果を得ることができる。
しかし、上述のように、従来のレンズ鏡筒では、ブレ補正レンズＬの光軸ＯＬと撮影光学系の光軸Ｏとが、ずれてしまうことから、僅かではあるものの、光学的性能が劣化した状態で撮影することとなり、撮影光学系の本来持っている性能を引き出すことができなかった。
【００１３】
上述の問題を解決するために、孔部１ｂの内径をロックピン７ｂの外径に近づけると、ロックピン７ｂが光軸方向に移動して孔部１ｂに係合する際の芯ズレの許容幅が狭くなり、ロック動作が難しくなるという問題があった。
また、孔部１ｂの内径とロックピン７ｂの外径とを一致させると、レンズＬの光軸Ｏに対する偏心は無くすことができるが、ロックピン７ｂが孔部１ｂに対して光軸方向に移動することができなくなり、ロック機構として機能することができないのは、言うまでもない。
【００１４】
本発明の課題は、ブレ補正の機能を備えたレンズ鏡筒において、ブレ補正動作を行わない場合には、撮影光学系の本来持っている性能を引き出すことができるレンズ鏡筒を提供することである。
【００１５】
【課題を解決するための手段】
本発明は、以下のような解決手段により、前記課題を解決する。なお、理解を容易にするために、本発明の実施形態に対応する符号を付して説明するが、これに限定されるものではない。すなわち、請求項１の発明は、主光学系と、前記主光学系の少なくとも一部を形成し、前記主光学系の光軸に交差する方向に移動することによりブレを補正するブレ補正レンズ（Ｌ）と、前記ブレ補正レンズを保持し、前記主光学系の光軸に交差する方向に移動可能なレンズ保持枠（１）と、前記ブレ補正光学系及び前記レンズ保持枠を駆動するブレ補正駆動部（２，４）と、ブレ補正動作を行わないときに前記ブレ補正レンズ及び前記レンズ保持枠の移動をガタを有した状態で制限するロック機構（１ｂ，７，７ｂ）と、を備えたレンズ鏡筒において、前記ロック機構は、前記レンズ保持枠に設けられたレンズ保持枠側係合部（１ｂ）と、前記主光学系の光軸に略沿う方向に移動可能に設けられ、前記レンズ保持枠側係合部と係合可能な可動係合部（７ｂ）とを有し、前記可動係合部が前記レンズ保持枠側係合部と係合する位置に移動した状態において、前記ブレ補正レンズ及び前記レンズ保持枠が前記ガタ分所定の方向に移動して前記可動係合部と前記レンズ保持枠側係合部とが当接した位置にある状態では、前記ブレ補正レンズの光軸（ＯＬ）と前記主光学系の光軸（Ｏ）とが一致していること、を特徴とするレンズ鏡筒である。
【００１６】
請求項２の発明は、請求項１に記載のレンズ鏡筒において、前記所定の方向は、前記レンズ鏡筒を装着可能なカメラボディに前記レンズ鏡筒を装着した状態において、前記光軸（Ｏ，ＯＬ）から前記カメラボディの底部へ向かう方向であること、を特徴とするレンズ鏡筒である。
【００１７】
請求項３の発明は、主光学系と、前記主光学系の少なくとも一部を形成し、前記主光学系の光軸に交差する方向に移動することによりブレを補正するブレ補正レンズ（Ｌ）と、前記ブレ補正レンズを保持し、前記主光学系の光軸に交差する方向に移動可能なレンズ保持枠（１）と、前記ブレ補正光学系及び前記レンズ保持枠を駆動するブレ補正駆動部（２，４）と、ブレ補正動作を行わないときに前記ブレ補正レンズ及び前記レンズ保持枠の移動を制限するロック機構（１ｂ，７，７ｂ）と、を備えたレンズ鏡筒において、前記ロック機構は、前記レンズ保持枠に設けられたレンズ保持枠側係合部（１ｂ）と、前記主光学系の光軸に略沿う方向に移動可能に設けられ、前記レンズ保持枠側係合部と係合可能な可動係合部（７ｂ）とを有し、前記可動係合部が前記レンズ保持枠側係合部と係合する位置に移動した状態において、前記ブレ補正レンズ及び前記レンズ保持枠を前記主光学系の光軸（Ｏ）に交差する方向に付勢する付勢手段（２，４）を備えること、を特徴とするレンズ鏡筒である。
【００１８】
請求項４の発明は、請求項３に記載のレンズ鏡筒において、前記付勢手段（２，４）によって前記可動係合部（７ｂ）と前記レンズ保持枠側係合部（１ｂ）とが当接した位置にある状態では、前記ブレ補正レンズの光軸（Ｌ）と前記主光学系の光軸（Ｏ）とが一致していること、を特徴とするレンズ鏡筒である。
【００１９】
請求項５の発明は、請求項３又は請求項４に記載のレンズ鏡筒において、前記付勢手段は、前記ブレ補正駆動部（２，４）であること、を特徴とするレンズ鏡筒である。
【００２０】
請求項６の発明は、請求項３から請求項５までのいずれか１項に記載のレンズ鏡筒において、前記付勢手段（２，４）による付勢の方向は、前記レンズ鏡筒を装着可能なカメラボディに前記レンズ鏡筒を装着した状態において、前記光軸から前記カメラボディの底部へ向かう方向であること、を特徴とするレンズ鏡筒である。
【００２１】
請求項７の発明は、請求項３から請求項６までのいずれか１項に記載のレンズ鏡筒において、前記主光学系は、撮影する被写体像を結像する撮影光学系であって、前記付勢手段（２，４）による付勢は、撮影の直前に開始され、少なくとも撮影中付勢を継続すること、を特徴とするレンズ鏡筒である。
【００２２】
請求項８の発明は、請求項１から請求項７までのいずれか１項に記載のレンズ鏡筒において、前記レンズ保持枠側係合部（１ｂ）は、前記レンズ保持枠（１）に設けられ、前記主光学系の光軸（Ｏ）に略沿う方向に開口した孔部（１ｂ）であり、前記可動係合部（７ｂ）は、前記孔部に挿入可能なロックピンであること、を特徴とするレンズ鏡筒である。
【００２３】
【発明の実施の形態】
以下、図面等を参照しながら、本発明の実施の形態について、更に詳しく説明する。
なお、前述した従来例と同様の機能を果たす部分には、同一の符号を付して、重複する説明を適宜省略する。
図１は、本実施形態におけるレンズ鏡筒の断面図であり、ロック機構のロックピン７ｂがレンズ保持枠１の孔部１ｂに係合した状態であって、コイル２に通電していない状態を示している。
図２は、図１に示したレンズ鏡筒を矢印Ａ方向から見た図であり、固定枠３の一部を破って示している。
【００２４】
ロック機構は、ラッチソレノイド７により駆動される可動係合部であるロックピン７ｂと、レンズ保持枠１に設けられたレンズ保持枠側係合部である孔部１ｂとにより形成されている。
ロックピン７ｂと孔部１ｂは、レンズ保持枠１の自重によって、ガタ分偏心した状態で当接している。この状態、すなわち、ロックピン７ｂと孔部１ｂがガタ分偏心した状態でブレ補正レンズＬの光軸ＯＬが撮影光学系の光軸Ｏと一致するように、ブレ補正レンズＬは、レンズ保持枠１に固定されている。
このように配置することにより、ロック機構によってレンズ保持枠１がロックされている状態において、ブレ補正レンズＬの光軸ＯＬと撮影レンズの光軸Ｏとが一致した状態を保持することができる。
【００２５】
図１及び図２に示した状態では、ロック機構のロックピン７ｂは、レンズ保持枠１の孔部１ｂに係合し、レンズ保持枠１が光軸Ｏに対して直交する方向の移動を制限している。しかし、ロックピン７ｂが孔部１ｂに係合するためには、ロックピン７ｂの径よりも孔部１ｂの径が大きい必要があり、その径差分（ガタ分）だけレンズ保持枠１は、光軸Ｏに対して直交する方向に移動する可能性がある。例えば、外乱等により、レンズ保持枠１が揺さぶられ径差分だけ光軸Ｏに対して直交する方向に移動し、結像面の像がレンズ保持枠１の移動に伴い移動するおそれがある。
【００２６】
そこで、本実施形態では、レンズ保持枠１への重力によって当接しているロックピン７ｂと孔部１ｂの面が外乱等によって離れないように、コイル２に通電して、マグネット４との作用でレンズ保持枠１を重力方向（図中の下方）に押す付勢力を発生させる。そうすることによって、外乱等によって、レンズ保持枠１がロックピン７ｂと孔部１ｂの径差分（ガタ分）の光軸Ｏに対して直交する方向への移動を防止することができ、結像面での意図しない像ブレを防ぐことができる。
なお、本実施形態では、付勢力の方向は、レンズ鏡筒の姿勢にかかわらず、常に図中の下方に働かせるようになっている。
また、本実施形態では、ロックピン７ｂが孔部１ｂに挿入された後、自重により移動しロックピン７ｂと孔部１ｂとを当接させている。しかし、ロックピン７ｂの移動は、自重による移動に限られず、ブレ補正駆動を行うアクチュエータによって、ブレ補正レンズＬの光軸ＯＬと撮影光学系の光軸Ｏとが一致する方向に駆動し、ロックピン７ｂと孔部１ｂとを当接させてもよい。この場合、自重による移動に比べゆっくりと駆動することができ、観察者が感じる違和感を軽減することができる。
【００２７】
本実施形態では、コイル２とマグネット４によるレンズ保持枠１を重力方向に押す付勢力の発生は、径差分の移動をレンズ保持枠１がしようとしたら位置検出素子６の出力が変化するので、位置検出素子６の出力が変化しないようにフィードバックをかけて適宜付勢力を発生させるように制御を行っている。
【００２８】
上述の付勢力を発生するためには、コイル２に通電を行い、付勢力を発生させるために電力を消費するが、この付勢力は、画像を記録している間だけ発生させればよい。したがって、本実施形態では、コイル２への通電は、撮影直前に行い、撮影が終了した時点で通電を終了することとし、電力の消費を最小限に抑えるようにしている。
また、付勢力は、重力に逆らって離れようとするのを押さえ込むのに必要な力で十分であり、したがって、極僅かな力で済むため、通電により消費される電力も僅かであり、電源の消耗を気にする必要は殆どない。
【００２９】
本実施形態では、レンズ鏡筒をカメラボディに装着した状態において、光軸からカメラボディの底部へ向かう方向が図１，２の下方となるように形成されている。
カメラは、様々な画面の縦横の比（アスペクト比）のものが存在するが、横長の画面が一般的であり、カメラを普通に構えると横長の画面が撮影されるものが多い。したがって、本実施形態におけるレンズ鏡筒では、カメラに装着した状態で、カメラの底部が下方（重力方向）となるように構えたとき（画面が横長となる姿勢）において下方（重力方向）が図１，２の下方となる。
このような配置とすることにより、カメラを普通に（カメラの底部が下方となるように）構えたときに、レンズ保持枠１の自重によって、ロックピン７ｂと孔部１ｂが偏心した状態となり、ブレ補正レンズＬの光軸ＯＬが撮影レンズの光軸Ｏと一致するようになっている。
【００３０】
このようにすることにより、通常使用される姿勢において重力方向となる頻度が最も高い方向にレンズ保持枠１が自重によって移動した状態が、ブレ補正レンズＬの光軸ＯＬが撮影レンズの光軸Ｏと一致することとなる。したがって、特に付勢力を発生しないとしても、ブレ補正レンズＬの光軸ＯＬが撮影レンズの光軸Ｏと一致している状態が最も頻度が高く、僅かな付勢力で確実にブレ補正レンズＬの光軸ＯＬと撮影レンズの光軸Ｏとを一致させることができる。また、付勢力を発生させずに、重力による当てつけのみとすることもできる。
【００３１】
また、縦位置の撮影を行うときには、径差分の移動をレンズ保持枠１がしようとすることから、位置検出素子６の出力が変化するので、位置検出素子６の出力が変化しないように、撮影直前にフィードバックをかけて適宜付勢力を発生させるように制御を行う。したがって、撮影時には、常にブレ補正レンズＬの光軸ＯＬが撮影レンズの光軸Ｏと一致しており、常に最良の撮影結果を得ることができる。
【００３２】
図３は、本実施形態におけるレンズ鏡筒において、ロックピン７ｂと孔部１ｂとが係合した瞬間を示す図である。
本実施形態において、ロック動作を行うときには、コイル２に通電を行い、位置検出素子６によりレンズ保持枠１の位置をモニタしながら、ロックピン７ｂの軸中心と孔部１ｂの孔中心とが一致した状態にレンズ保持枠１及びブレ補正レンズＬを移動する。ロックピン７ｂの軸中心と孔部１ｂの孔中心とが一致した状態では、ブレ補正レンズＬの光軸ＯＬと撮影光学系の光軸Ｏとが、偏心してずれているが、この状態で撮影を行うわけではないので、問題は生じない。
【００３３】
この状態を保ったままで、ラッチソレノイド７を駆動してロックピン７ｂを孔部１ｂへ挿入して係合し、図３に示す状態となる。
孔部１ｂの内径は、ロックピン７ｂの外径よりも十分大きくなっており、レンズ保持枠１の駆動制御誤差等による多少の位置ズレや、孔部１ｂ及びロックピン７ｂの内径及び外径の寸法ばらつき等があっても、確実にロックピン７ｂを孔部１ｂに挿入することができる。
図３に示す状態から、コイル２への通電を停止するか、又は、付勢に必要な通電を行うことにより、図１に示した状態となり、ロック動作を完了する。
【００３４】
本実施形態によれば、ブレ補正動作を行わない撮影を行うときには、常にブレ補正レンズＬの光軸ＯＬが撮影レンズの光軸Ｏと一致するので、撮影光学系の本来持っている性能を引き出すことができる。
【００３５】
（変形形態）
以上説明した実施形態に限定されることなく、種々の変形や変更が可能であって、それらも本発明の均等の範囲内である。
例えば、本実施形態において、付勢力は、常に同一方向に働かせる例を示したが、これに限らず、例えば、別途設けた重カセンサーにより重力方向を把握し、その方向にコイル２とマグネット４によって付勢力を発生させてもよい。
【００３６】
また、本実施形態において、付勢力によりレンズ保持枠１を所定の方向に付勢する例を示したが、これに限らず、例えば、付勢を行わず、重力によって落下した位置において撮影光学系の光軸Ｏとブレ補正レンズＬの光軸ＯＬとが一致するだけであってもよい。
【００３７】
さらに、本実施形態において、コイル２とマグネット４によるレンズ保持枠１を重力方向に押す付勢力の発生は、位置検出素子６の出力が変化しないようにフィードバックをかけて適宜付勢力を発生させるように制御を行っている例を示したが、これに限らず、例えば、位置検出素子６の出力をモニタすることなく、ブレ補正動作を行わない場合の撮影時には、常に所定の方向に付勢を行うようにしてもよい。
【００３８】
【発明の効果】
以上詳しく説明したように、本発明によれば、以下の効果を奏することができる。
（１）可動係合部がレンズ保持枠側係合部と係合する位置に移動した状態において、ブレ補正レンズ及びレンズ保持枠が自重により所定の方向に移動して可動係合部とレンズ保持枠側係合部とが当接した位置にある状態では、ブレ補正レンズの光軸と主光学系の光軸とが一致しているので、ブレ補正動作を行わない場合の光学特性を向上することができる。
【００３９】
（２）ブレ補正レンズ及びレンズ保持枠が自重により移動する所定の方向は、光軸からカメラボディの底部へ向かう方向であるので、使用頻度の高い姿勢において光学特性を向上することができ、よりよい状態で撮影することができる機会を増やすことができる。
【００４０】
（３）可動係合部がレンズ保持枠側係合部と係合する位置に移動した状態において、ブレ補正レンズ及びレンズ保持枠を主光学系の光軸に交差する方向に付勢する付勢手段を備えるので、ブレ補正動作を行わない場合にブレ補正レンズを確実に安定させることができる。
【００４１】
（４）付勢手段によって可動係合部とレンズ保持枠側係合部とが当接した位置にある状態では、ブレ補正レンズの光軸と主光学系の光軸とが一致しているので、ブレ補正動作を行わない場合の光学特性を向上することができる。
【００４２】
（５）付勢手段は、ブレ補正駆動部であるので、新たな部材を追加することなく、本発明を実施することができる。
【００４３】
（６）付勢手段による付勢の方向は、光軸からカメラボディの底部へ向かう方向であるので、使用頻度の高い姿勢において光学特性を向上することができ、よりよい状態で撮影することができる機会を増やすことができる。
【００４４】
（７）付勢手段による付勢は、撮影の直前に開始され、少なくとも撮影中付勢を継続するので、付勢に使用する電力が最小限で済み、電力を無駄なく有効に利用することができる。
【００４５】
（８）レンズ保持枠側係合部は、レンズ保持枠に設けられ、主光学系の光軸に略沿う方向に開口した孔部であり、可動係合部は、孔部に挿入可能なロックピンであるので、従来のロック機構と同様な構成により本発明を実現することができ、低価格かつ信頼性の高いレンズ鏡筒とすることができる。
【図面の簡単な説明】
【図１】本実施形態におけるレンズ鏡筒の断面図であり、ロック機構のロックピン７ｂがレンズ保持枠１の孔部１ｂに係合した状態であって、コイル２に通電していない状態を示している。
【図２】図１に示したレンズ鏡筒を矢印Ａ方向から見た図であり、固定枠３の一部を破って示している。
【図３】本実施形態におけるレンズ鏡筒において、ロックピン７ｂと孔部１ｂとが係合した瞬間を示す図である。
【図４】従来のロック装置を有するレンズ鏡筒を示す図であり、ロックを解除した状態を示す図である。
【図５】従来のレンズ鏡筒において、ロックピン７ｂと孔部１ｂとが係合した瞬間を示す図である。
【図６】従来のレンズ鏡筒において、ロックピン７ｂと孔部１ｂとが係合した状態であって、コイル２への通電を停止した状態を示す図である。
【符号の説明】
１　レンズ保持枠
１ｂ　孔部
２　コイル
３　固定枠
４　マグネット
５　発光素子
６　位置検出素子
７　ラッチソレノイド
７ｂ　ロックピン
Ｌ　ブレ補正レンズ
Ｏ　撮影光学系の光軸
ＯＬ　ブレ補正レンズの光軸
【図１】
2004145188.tif 000003
【図２】
2004145188.tif 000004
【図３】
2004145188.tif 000005
【図４】
2004145188.tif 000006
【図５】
2004145188.tif 000007
【図６】
2004145188.tif 000008